(57)【要約】【課題】  シロフォン、グロッケンシュピール、マリンバ、ビブラフォン等の鍵盤を楽器本体から取り外して運搬や収納する時には、幹音音板と派生音音板それぞれの最高音部、最低音部の鍵盤を支持しつつ取り外し、毛布等にくるんでロール状に巻くことが一般に用いられている。しかしこの方法では、鍵盤の最も脆弱な側面同士の接触や衝突を防止することはできず、特にマリンバ等の木製鍵盤の場合には、損傷が生じることがある。また、１名での単独作業では，鍵盤同士の衝突を防止することは困難である。【解決手段】  派生音音板の鍵盤不設置部に鍵盤模擬材を置き、さらに鍵盤の各間隙に鍵盤保護材を挿入することによって、鍵盤を取り外して運搬や収納するに際して、鍵盤同士の衝突と衝突による鍵盤の損傷を防ぐと共に、前述の作業を１名で行うことによる省力化を図る。【選択図】  図６
2008090095.tif 000002
【特許請求の範囲】
【請求項１】
シロフォン、グロッケンシュピール、マリンバ、ビブラフォンの鍵盤楽器の鍵盤の音板は、演奏者の手前に設置される例えばピアノやオルガンの白鍵に相当する幹音音板と、幹音音板の一部を覆うように演奏者の遠方に設置される例えばピアノやオルガンの黒鍵に相当する派生音音板の２つがあり、各音板はそれぞれ複数個の鍵盤によって構成されている。鍵盤楽器の本体から各音板を取り外すに際して鍵盤の各間隙に挿入することにより鍵盤同士の接触や衝突による損傷を防止する鍵盤保護材と、派生音音板の鍵盤不設置部に設置する鍵盤模擬材と、鍵盤保護材を挿入した鍵盤を包んで巻くためのシートと、シートを内側にして巻いたロール状の派生音音板と、派生音音板と同様にロール状に巻いた幹音音板とをそれぞれ収納する外箱を備えていることを特徴とする鍵盤楽器の鍵盤保護装置。
【請求項２】
前記の鍵盤保護材は、柔軟性を有する素材にて構成された長方体と、長方体に取り付けた柔軟性を有する薄板より構成される。
【請求項３】
鍵盤楽器の派生音音板の鍵盤不設置部に鍵盤模擬材を装置する工程と、派生音音板、幹音音板の鍵盤の各間隙に鍵盤保護材を装置する工程と、派生音音板、幹音音板それぞれの全面にシートを覆う工程と、派生音音板、幹音音板それぞれを高音部より低音部へとシートを内側にしてロール状に巻く工程と、ロール状になった派生音音板、幹音音板それぞれを外箱に収容する工程とを備えている鍵盤楽器の鍵盤保護方法。
【発明の詳細な説明】
【技術分野】
【０００１】
本発明は、シロフォン、グロッケンシュピール、マリンバ、ビブラフォンの鍵盤楽器の音板を構成する派生音音板、幹音音板を鍵盤楽器本体から取り外し、運搬、収納するに際して、鍵盤同士の接触や衝突による鍵盤の損傷を防ぐための鍵盤の保護装置及び保護方法に関する。
【背景技術】
【０００２】
従来の鍵盤楽器の保護装置及び保護方法としては、鍵盤楽器本体の運搬に際して、鍵盤楽器の安定性を向上させることにより、振動による鍵盤や鍵盤楽器本体の損傷を防ぐ目的のために、内部の空間にエアバッグを装置するものがある。（例えば特許文献１参照）この特許文献は鍵盤楽器の中のピアノに関するものであり、それ以外には、本発明に関係する鍵盤楽器の鍵盤保護装置及び保護方法についての特許、文献等は見当たらない。
【特許文献１】特開２００４−３３１１６８
【発明の開示】
【発明が解決しようとする課題】
【０００３】
鍵盤楽器本体から鍵盤を取り外し、運搬、収納するには、従来、幹音音板の一部を覆うように設置される派生音音板の両端の最高音部、最低音部の鍵盤を同時に支持しつつ鍵盤楽器本体から取り外し、平坦地に置いた毛布等上に置き、高音部より低音部へ、もしくは低音部より高音部へと毛布等と共にロール状に巻き、周囲を紐等にて結縛する方法がとられている。また、さらに箱等に収納することもある。幹音音板の取り外し、運搬、収納も同様である。しかし、従来の方法では、鍵盤同士の接触、衝突が生じることがあり、特にマリンバ等の木製鍵盤の場合には、衝突による損傷が生じることがあるために、鍵盤同士が接触しない方法の開発が求められている。                            
【０００４】
また、鍵盤楽器本体から各音板を取り外すに際しては、鍵盤同士の接触、衝突を少  なくするためには音板を水平を保つ必要から、２名以上の複数人数での作業となっており、省力化が求められている。
【課題を解決するための手段】
【０００５】
鍵盤楽器本体から鍵盤を取り外すにさきがけて、鍵盤楽器の音板を構成する２つの音板のうち、幹音音板の一部を覆うように設置されている派生音音板の鍵盤不設置部に鍵盤に相似型の鍵盤模擬材を置き、さらに鍵盤の各間隙に鍵盤保護材を挿入する。また、鍵盤不設置部のないもう１つの音板である幹音音板は、鍵盤の各間隙に鍵盤保護材を挿入する。
【０００６】
また、鍵盤模擬材を置き、鍵盤の各間隙に鍵盤保護材を挿入した派生音音板上に音板全体を覆うシートを置き、鍵盤楽器本体上で最高音部より最低音部へとシートを内側にして派生音音板をロール状に巻く。幹音音板は、鍵盤模擬材を置く以外は派生音音板と同様である。
【０００７】
また、ロール状に巻いた派生音音板、幹音音板を、内部全面に緩衝材を設置した外箱に収納する。
【発明の効果】
【０００８】
派生音音板の鍵盤不設置部に鍵盤模擬材を置き、さらに鍵盤の各間隙に鍵盤保護材を挿入し、さらに派生音音板の全面を覆うシートを置き、シートを内側にして派生音音板をロール状に巻くことによって、鍵盤の表面や裏面同士が接触することがない。従って、鍵盤同士の接触や衝突による鍵盤の損傷を防止することが可能となる。幹音音板も同様の効果を得ることができる。
【０００９】
また、ロール状に巻いた派生音音板、幹音音板それぞれを、内部全面に緩衝材を装置した外箱に収納することによって、揺動、衝撃による各鍵盤の損傷を防止することが可能となる。
【００１０】
また、派生音音板、幹音音板のそれぞれの最高音部、最低音部を同時に支持しつつ鍵盤楽器本体から各音板を取り外す従来の方式とは異なり、楽器本体に音板を設置したままで、各音板を最高音部より最低音部へとシートと共にロール状に巻くことにより１名での作業が可能となり、省力化による取り扱い性を向上させることができる。
【発明を実施するための最良の形態】
【００１１】
以下、図面を参照しながら本発明の実施形態を詳細に説明する。本発明を採用する  図５に示す鍵盤楽器の１つであるマリンバは、天頂部に複数個の鍵盤を有する幹音音板５ｃと、幹音音板の一部を覆うように設置される複数個の鍵盤を有する派生音音板５ｂの２つの音板を有し、２つの音板を構成する各鍵盤は、下部に設置されるパイプ５ｇ、５ｆで音量を増大させる。前述する各鍵盤は、それぞれ２箇所に幅方向に貫通して形成された挿通孔を有し、これらの挿通孔に挿通された、派生音音板は紐５ｄ、幹音音板は紐５によってマリンバ本体５aに支持されている。
【００１２】
派生音音板５ｂ、幹音音板５ｃ共に鍵盤の幅、厚さ、長さは最高音部で最小、音程が低くなるに従って順次増大し、最低音部で最大となっている。また、各鍵盤の挿通孔間の長さは、派生音音板、幹音音板共に最高音部で最短、音程が低くなるに従って順次増大し、最低音部で最長となっている。また派生音音板の鍵盤不設置部を除く鍵盤の各間隙は、派生音音板、幹音音板共に隣接する鍵盤同士が接触しないよう一定の間隔をもって設置されており、その間隔は同一である。
【００１３】
図１は、鍵盤の各間隙に挿入する鍵盤保護材１の斜視図である。鍵盤保護材を構成する１ａは、マリンバに使用される木製鍵盤に損傷を与えない素材、例えばポリウレタン材によって構成される長方体で、長さは、鍵盤保護材を装置する鍵盤の挿通間の長さに収容できるものとし、最高音部で最短、音程が低くなるに従って増大し、最低音部で最長となっている。また、長方体の縦、横は同一寸法にて、鍵盤の各間隙に収容できるものとなっている。また１ｂは、鍵盤保護材を構成する長方体１ａの天頂部に鍵盤の間隙より長方体１ａが脱落せぬよう取り付けた柔軟性を有する薄板で、マリンバに使用される木製鍵盤に損傷を与えない素材、例えば塩化ビニール材によって構成されており、長さは装置する長方体１ａより長く、横幅は、長方体１ａを装置する間隙に隣接する高音部の鍵盤の横幅を超えない。
【００１４】
図２は、派生音音板の鍵盤不設置部に装置する鍵盤模擬材の斜視図で、マリンバに使用される木製鍵盤に損傷を与えない素材、例えばポリウレタンによって構成されている。
【００１５】
図３は、鍵盤模擬材２を置き、鍵盤保護材１を挿入した派生音音板５ｂと、鍵盤保護材を挿入した幹音音板５ｃの全体を覆う、マリンバに使用される木製鍵盤に損傷を与えない素材、例えば布によって構成されるシート３の平面図である。
【００１６】
図４は、ロール状に巻いた幹音音板、派生音音板それぞれを収納する、例えばアルミニウムによって構成される外箱４の斜視図である。
【００１７】
図５は、本発明を採用する鍵盤楽器の１つであるマリンバ５の斜視図である。
【００１８】
図６は、派生音音板５ｂの鍵盤不設置部に鍵盤模擬材２を置き、さらに、鍵盤の各間隙に鍵盤保護材１を挿入した概略平面図である。
【００１９】
図７は、鍵盤保護材の散逸防止と、鍵盤の各間隙への挿入の容易さとを目的として、例えば紐を通した一例を示す概略断面図である。  
【００２０】
図８は、派生音音板５ｂの鍵盤不設置部に鍵盤模擬材２を置き、さらに鍵盤の各間隙に鍵盤保護材１を挿入したものにシート３を覆った平面図である。
【００２１】
図９は、図８の状態の派生音音板を最高音部から最低音部へと、シート３を内側にしてロール状に巻き上げた概略平面図である。
【００２２】
図１０は、図９のロール状に巻き上げた派生音音板を、内部全面に、例えばエアクッションを設けた例えばアルミニウム製の外箱４に収納した透視斜視図である。
【００２３】
マリンバ本体から鍵盤を取り外し収納する手順を図面を追って説明する。まず、図５のマリンバの幹音音板５ｃの一部を覆うように設置されている派生音音板５ｂの鍵盤不設置部に鍵盤模擬材２を置く。次に図６に示すように、派生音音板の各間隙に鍵盤保護材１の薄板１ｂを上にして、間隙に隣接する高音部の鍵盤上に置き、間隙に長方体１ａを挿入する。図７に示すように、鍵盤保護材の散逸防止と鍵盤の各間隙への挿入の容易さとを目的として、例えば紐を通してもよい。派生音音板の全ての間隙に鍵盤保護材１を挿入後、図８に示すように、派生音音板上にシート３を置く。次に図９に示すように、派生音音板の両端でマリンバの本体５aに派生音音板を固定する挿通紐５ｄを取り外し、シート３を内側にして派生音音板を高音部より低音部へとロール状に巻く。次に図１０に示すように、ロール状になった派生音音板をマリンバ本体から取り外し、内部全面に、例えばエアクッションを装置した外箱４に収納する。幹音音板５ｃのマリンバ本体からの取り外し、収納工程は、派生音音板の鍵盤不設置部に鍵盤模擬材を装置する工程を除いて、派生音音板と同様である。
【図面の簡単な説明】
【００２４】
【図１】鍵盤の各間隙に挿入する鍵盤保護材の斜視図。
【図２】派生音音板の鍵盤不設置部に置く鍵盤模擬材の斜視図。
【図３】派生音音板、幹音音板上に置き、鍵盤と共にロール状に巻くシートの平面図。
【図４】ロール状に巻いた派生音音板、幹音音板それぞれを収納する外箱の斜視図。
【図５】マリンバの斜視図。
【図６】派生音音板の鍵盤不設置部に鍵盤模擬材を置き、各間隙に鍵盤保護材を挿入した概略平面図。一部切欠して示す。
【図７】鍵盤保護材に挿通する挿通紐の一例を示す概略側面図。一部切欠して示す。
【図８】音板にシートを覆った平面図。一部切欠して示す。
【図９】ロール状に巻いた音板の平面図。
【図１０】ロール状に巻いた音板を収納した外箱の透視斜視図。
【符号の説明】
【００２５】
１  鍵盤保護材
１ａ  鍵盤保護材を構成する長方体
１ｂ  鍵盤保護材を構成する薄板
１ｃ  鍵盤保護材の挿通紐
２  鍵盤模擬材
３  シート
４  外箱
４ａ  外箱の取手
４ｂ  外箱の内部全面に装置したエアクッション
５  マリンバ
５ａ  マリンバ本体
５ｂ  派生音音板
５ｃ  幹音音板
５ｄ  派生音音板の挿通紐  
５ｅ  幹音音板の挿通紐
５ｆ  派生音パイプ
５ｇ  幹音パイプ
【図１】
2008090095.tif 000003
【図２】
2008090095.tif 000004
【図３】
2008090095.tif 000005
【図４】
2008090095.tif 000006
【図５】
2008090095.tif 000007
【図６】
2008090095.tif 000008
【図７】
2008090095.tif 000009
【図８】
2008090095.tif 000010
【図９】
2008090095.tif 000011
【図１０】
2008090095.tif 000012